(57)【特許請求の範囲】
【請求項１】
第１のユニットと、この第１のユニットとは分離された第２のユニットと、これら第１のユニットと第２のユニットとを相対的に回動可能に連結支持するヒンジユニットと、前記第１のユニットと前記第２のユニットの少なくともどちらか一方に設けられるスピーカとを備え、
前記ヒンジユニットは、前記第１のユニットに固定された第１のアームと、前記第２のユニットに固定された第２のアームとを有し、第１のアームと第２のアームの少なくともどちらか一方に前記スピーカを固定するスピーカ取付部を設けたことを特徴とする移動体情報機器。
【請求項２】
前記ヒンジユニットは、前記第１のアームと前記第２のアームとを相対的に回動させるヒンジ軸を有し、このヒンジ軸の軸線と平行に広がる面に沿って前記スピーカ取付部を設けたことを特徴とする請求項１に記載の移動体情報機器。
【請求項３】
前記スピーカ取付部を前記ヒンジ軸の延長方向にずれ、かつ、前記ヒンジ軸に近い位置に設けたことを特徴とする請求項２に記載の移動体情報機器。
【請求項４】
前記スピーカ取付部は、前記スピーカの出力面を囲う枠状に形成することを特徴とする請求項１から請求項３の内のいずれか１項に記載の移動体情報機器。
【発明の詳細な説明】
【０００１】
【発明の属する技術分野】
本発明は、例えばポータブルコンピュータのように２つのユニットをヒンジユニットで回動可能に連結し、スピーカを内蔵した移動体情報機器に関する。
【０００２】
【従来の技術】
持ち運びが可能なポータブルコンピュータのような移動体情報機器は、文字、画像、及び音など多様のマルチメディア情報を処理し出力する。この種の移動体情報機器は、文字や画像を表示する表示画面を備えたディスプレイユニットと、利用者が操作するキーボードユニットを備えた筐体とを備え、互いを回動可能に連結し任意の角度位置で固定支持するヒンジユニットで連結している。ヒンジユニットは、筐体に取付けられる第１のアームと、ディスプレイユニットに取付けられる第２のアームと、これら第１のアームと第２のアームを相対的に回動させるヒンジ軸とを備えている。
【０００３】
また、移動体情報機器の情報処理能力の向上に伴ない、映画やテレビ、音楽などの音を移動体方法機器から直接出力して楽しめるように、スピーカが内蔵されている移動体情報機器がある。このとき、音を効果的に出力するために、スピーカは、出力面を外側に向けて筐体の内側にねじ止めされている。特に、ポータブルコンピュータのような移動体情報機器は、ステレオ効果を出すため、利用者に対してスピーカが左右両端部に実装されている。
【０００４】
【発明が解決しようとする課題】
ところで、移動体情報機器自体の軽量化や薄形化が進む一方で、ディスプレイユニットが大形化する傾向にある。そのため、ディスプレイユニットを利用者が筐体に対して回動させたときに、ヒンジユニット周辺にはねじれ応力や曲げ応力がかかる。したがって、ディスプレイユニットが受けるねじれ応力や曲げ応力を軽減するとともに、第１のアームと筐体との取合部や第２のアームとディスプレイユニットとの取合部にかかる回動時の負荷を軽減する必要がある。
【０００５】
ポータブルコンピュータのような移動体情報機器は、移動体情報機器の情報処理能力が向上するにつれて、より鮮明かつ表現力豊かな音を利用者が求めるようになってきている。そこで、広い音域にわたって音を出力することのできる高性能のスピーカを取付けることが望まれる。しかしながら、高性能のスピーカは、嵩高いことが多い。また、軽量化や薄形化された移動体情報機器にこのスピーカを組み込む場合、スピーカの取付位置とヒンジユニットの取付位置とが干渉してしまう恐れがある。そのため、取付ける部位が限られてしまい、しっかりと固定することができない場合がある。したがって、所望する音響効果を十分引き出すことができない。
【０００６】
また、スピーカは、音を出力するときにその反動でスピーカを固定している周辺に振動を与える。このとき、軽量化や薄型化した筐体やディスプレイユニットには、スピーカの振動を抑える十分な重さと強度がない。したがって、スピーカの収容スペースの問題から、筐体やディスプレイハウジングに直接スピーカがねじ止めされていると、スピーカの振動が筐体やディスプレイユニットを伝わって、筐体やディスプレイユニット、あるいは嵌め込み部品などを振動させる。この振動は、スピーカの本来の出力を低下させる原因となる。そして、振動を生じた部位から音、いわゆるびびり音を発生することがある。また、スピーカの背面（裏）から出た音が筐体内で反射して表に出てくることで、スピーカの出力面（表）から出た音と干渉し、音響効果を損なうことがある。
【０００７】
この振動やスピーカの裏から出る音を抑えるために、ゴム部品などの振動を吸収する部品にスピーカを嵌め込み、かつ、スピーカの裏側が覆われるように本体に固定する場合がある。ところが、このようなゴム部品にスピーカを取付けると、ゴム部品が振動周波数の多い高音を吸収してしまうので、音声や音楽の高音領域の音が減衰し、全体的な音のバランスが崩れて音響効果が損なわれてしまう。そして、新たにゴム部品を設けることによって、さらにスピーカの嵩が大きくなる。また。部品点数が増えることで、この部品を取付けるための組立工数が増加するという問題も生じる。
【０００８】
そこで、本発明は、スピーカを好適に固定することで、音響効果の優れた移動体情報機器を提供することを目的とする。
【０００９】
【課題を解決するための手段】
本発明の移動体情報機器は、第１のユニットと、この第１のユニットとは分離された第２のユニットと、これら第１のユニットと第２のユニットとを相対的に回動可能に連結支持するヒンジユニットと、前記第１のユニットと前記第２のユニットの少なくともどちらか一方に設けられるスピーカとを備える。そして、前記ヒンジユニットは、前記第１のユニットに固定された第１のアームと、前記第２のユニットに固定された第２のアームとを有し、第１のアームと第２のアームの少なくともどちらか一方に前記スピーカを固定するスピーカ取付部を設ける。
【００１０】
上記の構成によると、ヒンジユニットのアームにスピーカ取付部を設けてスピーカを固定し、スピーカの取付位置とヒンジの取付位置とが互いに干渉しない。また、ユニットにそれぞれ固定されるアームにスピーカを固定することで、各ユニットの重さを利用してスピーカの振動を抑える。
【００１１】
【発明の実施の形態】
本発明の第１の実施形態について、図１から図５を参照して説明する。図１に示す移動体情報機器の一例であるポータブルコンピュータ１は、第１のユニットである機器本体２と、第２のユニットであるディスプレイユニット３とを備える。機器本体２とディスプレイユニット３は、それぞれの後部２ａ，３ａがヒンジユニット４（図２参照）で回動可能に連結されている。機器本体２は、上部側のアッパハウジング５と下部側のロアハウジング６とに分解可能な箱状に形成されている。アッパハウジング５の上面５ａには、利用者が操作するキーボードユニット７が装着されている。また、アッパハウジング５の後部５ｂの左右両端部５ｃ、５ｄには、網状のスピーカカバー８が取付けられている。ディスプレイユニット３は、文字や画像を表示部９に表示する表示画面１０と、表示部９を露出させて表示画面１０を収容するディスプレイハウジング１１とを備えている。
【００１２】
図２に示すように、ヒンジユニット４は、第１のアーム１２、第２のアーム１３、これらアーム１２，１３を相対的に回動させるヒンジ軸１４、及びスピーカ１５を固定するスピーカ取付部１６が設けられたベースプレート１７を備えている。第１のアーム１２は、ベースプレート１７に固定されている。ベースプレート１７は、アッパハウジング５の後部５ｂの左右両端５ｃ、５ｄの内側に下方から装着されて複数箇所でねじ止め固定されている。したがって、第１のアーム１２は、このベースプレート１７を介して機器本体２に固定されている。このとき、アッパハウジング５には、アッパハウジング５の上面５ａからベースプレート１７に取付けられるスピーカ１５が臨めるように開口部１８が設けられている。第２のアーム１３は、ディスプレイハウジング１１の後部１１ａに設けられたヒンジ取付部１９にねじで固定される。また、左右対称に配置されたヒンジユニット４の各ヒンジ軸１４は、同一線上に並ぶように配置されている。ベースプレート１７は、堅固な部材、例えば、金属製、具体的には、アルミ合金製のダイキャスト成形品であって、ディスプレイユニット３を回動させたときに捩れや撓みを生じない強度を備えている。そして、アッパハウジング５の内側に沿って前方に延びる延出部２０と、スピーカ１５を固定するためのスピーカ取付部１６とが一体に成形されている。
【００１３】
スピーカ取付部１６は、図３に示すようにスピーカ１５の出力面１５ａの外周１５ｂを囲う枠状に形成されており、スピーカ１５をベースプレート１７の下面側１７ａから取付け可能なように開口している。このスピーカ取付部１６は、スピーカ１５の出力面１５ａがスピーカカバー８に向かって露出するように設けられ、かつ、スピーカ１５の外形に沿って形成されていることが好ましい。
【００１４】
また、スピーカ取付部１６は、ヒンジ軸１４と平行に広がる面に沿って設けられ、かつ、ヒンジ軸１４の延長方向にずれて取付けられている。スピーカ取付部１６の周囲には、スピーカ１５を固定するためのねじ孔２１が設けられている。なお、スピーカ１５をベースプレート１７の上面側１７ｂから取付ける場合は、スピーカ１５の背面１５ｃを覆うようスピーカ取付部１６が設けられていてもよい。
【００１５】
図４に示すようにスピーカ１５は、ねじ２２を通す穴２３を有したブラケット２４が一体に形成されている。スピーカ１５は、このブラケット２４によってベースプレート１７の下面側１７ａからねじ２２で直接固定されている。このとき、ブラケット２４、あるいは、ベースプレート１７のスピーカ取付部１６に角度を設け、スピーカ１５の出力面１５ａが機器本体２の前方に向かって傾斜するようにすると、利用者に音が伝わりやすい。また、スピーカ１５にブラケット２４を設ける代わりに、図５に示すようにスピーカ取付部１６の上端部１６ａにスピーカ１５の出力面１５ａを引っ掛ける掛止部２５を設け、この掛止部２５にスピーカ１５の背面１５ｃから固定治具２６でスピーカ１５を挟みこんで固定してもよい。
【００１６】
以上のように構成したポータブルコンピュータ１は、ヒンジユニット４のベースプレート１７をアッパハウジング５にねじ止め固定されるとともに、第１のアーム１２、ヒンジ軸１４、及び第２のアーム１３を介してディスプレイユニット３を支持している。そして、ベースプレート１７に設けられたスピーカ取付部１６にスピーカ１５を固定している。すなわち、ヒンジユニット４の第１のアーム１２に設けられたスピーカ取付部１６にスピーカ１５を固定したので、機器本体２及びディスプレイユニット３の重量を利用してスピーカ１５の振動を抑えることができる。
【００１７】
したがって、スピーカ１５の振動が周囲に伝達することを効果的に抑制しているので、びびり音を防止することができる。また、スピーカ１５本来の出力を音としてより多く出力することができるとともに、スピーカ１５の出力応答がよくなる。すなわち、より鮮明かつ繊細な音を出力することができる。
【００１８】
また、びびり音を防止するために取付けられるゴム部品などが必要ないので、高音領域の音質（高音特性）を低下させること無く音を出力することができる。
【００１９】
また、スピーカ取付部１６は、ヒンジ軸１４と平行に広がる面に沿って設けられ、かつ、ヒンジ軸１４の延長方向にずれている。そのため、スピーカ１５の振動がヒンジユニット４の第１のアーム１２と第２のアーム１３を回動させる方向に作用することはない。したがって、ディスプレイユニット３の重量をより効果的に利用することができるので、スピーカ１５をよりしっかりと固定することができる。
【００２０】
さらに、スピーカ取付部１６をスピーカ１５の出力面１５ａを囲う枠状に形成しているので、スピーカ１５の背面１５ｃから出た音Ｓｒをスピーカ取付部１６で効果的に遮蔽することができる。したがって、背面１５ｃから出た音Ｓｒと出力面１５ａから出た音Ｓｆとの干渉を防ぐので、音質が向上する。
【００２１】
なお、スピーカ１５は、スピーカ取付部１６にねじ２２で固定したが、接着剤で貼り付けたり、樹脂でモールドしてもよい。
【００２２】
次に、本発明の第２の実施形態について、図６を参照して説明する。図６に示す移動体情報機器の一例である携帯電話３１は、表示画面３２を備えた第１のユニット３３と、複数の操作ボタン３４を備えた第２のユニット３５とを備え、第１のユニット３３と第２のユニット３５をヒンジユニット３６で回動可能に連結支持している。
【００２３】
ヒンジユニット３６は、第１のユニット３３を支持する第１のアーム３７と、第２のユニット３５を支持する第２のアーム３８と、第１のアーム３７と第２のアーム３８のそれぞれ基端３７ａ，３８ａを回動可能に連結するヒンジ軸３９を備えている。第１のアーム３７及び第２のアーム３８は、堅固な部材、具体的には、アルミニウム合金製のダイキャスト成形品である。第１のアーム３７の先端３７ｂには、スピーカ４０が実装固定されている。また、第２のアーム３８の先端３８ｂには、マイク４１が実装固定されている。
【００２４】
以上の構成による携帯電話３１は、第１のユニット３３を支持する第１のアーム３７にスピーカ４０がしっかりと固定されているので、スピーカ４０の振動を第１のユニット３３の剛性で効果的に抑制することができる。そのため、びびり音の防止のためにゴム部品などの振動吸収部材を取付ける必要がない。したがって、携帯電話３１のスピーカ４０から出力される音が、鮮明かつ高音特性に優れた音質となる。また、第２のアーム３８にマイク４１がしっかりと固定されているので、外部から振動を拾う（いわゆるノイズが入る）ことを防止できる。
【００２５】
なお、本発明の移動体情報機器は、ポータブルコンピュータまたは携帯電話に限らず、第１のユニットと第２のユニットがヒンジユニットで回動可能に連結支持され、スピーカを備えて音を出力する移動体情報機器であれば同様に実施し、効果を得ることが可能である。
【００２６】
【発明の効果】
本発明の移動体情報機器によれば、ヒンジユニットのアームに設けられたスピーカ取付部にスピーカを固定したので、各ユニットの重量を利用してスピーカの振動を抑えることができるとともに、スピーカの振動が周囲に伝達することを効果的に抑制し、びびり音を防止することができる。そのため、スピーカ本来の出力を音としてより多く出力することができるとともに、スピーカの出力応答がよくなる。すなわち、より鮮明かつ繊細な音を出力することができる。
【００２７】
また、びびり音を防止するために取付けられるゴム部品などが必要ないので、高音領域の音質を低下させること無く音を出力することができる。
【００２８】
したがって、以上のように本発明の移動体情報機器は、スピーカを好適に固定たので、音響効果が優れている。
【図面の簡単な説明】
【図１】本発明の第１の実施形態のポータブルコンピュータを示す斜視図。
【図２】図１のポータブルコンピュータに内装された状態のヒンジユニットを示す斜視図。
【図３】図２のヒンジユニットを示す斜視図。
【図４】図２中のＦ４-Ｆ４に沿って示すヒンジユニットとスピーカの断面図。
【図５】図４のスピーカの他の取付例を示すヒンジユニットとスピーカの断面図。
【図６】本発明の第２の実施形態の携帯電話を示す斜視図。
【符号の説明】
１…ポータブルコンピュータ（移動体情報機器）
２…機器本体（第１のユニット）
３…ディスプレイユニット（第２のユニット）
４…ヒンジユニット
１２…第１のアーム
１３…第２のアーム
１４…ヒンジ軸
１５…スピーカ
１６…スピーカ取付部
３１…携帯電話（移動体情報機器）
３３…第１のユニット
３５…第２のユニット
３６…ヒンジユニット
３７…第１のアーム
３８…第２のアーム
３９…ヒンジ軸
４０…スピーカ
【図１】
0004599006.tif 000002
【図２】
0004599006.tif 000003
【図３】
0004599006.tif 000004
【図４】
0004599006.tif 000005
【図５】
0004599006.tif 000006
【図６】
0004599006.tif 000007